(57)【要約】【課題】筐体内の電気部品について、感電の恐れなく能率的に絶縁抵抗試験および耐電圧試験を行うことができるアース端子台を備える電子機器を提供する。【解決手段】筐体５の外部では、アース端子台１４の導体軸１７に外部アース線１５及びジャンパ線１６の一端が接続される。また、外部アース線１５の他端は大地に、ジャンパ線１６の他端は筐体５に接続される。また、筐体５の内部では、アース端子台１４の導体軸１７に内部アース線２６の一端が接続され、内部アース線２６の他端はサーキットボード２７に接続される。なお、内部アース線２６の一端は、端子２４を介して導体軸１７に接続固定される。【選択図】図３
2011003312.tif 000002
【特許請求の範囲】
【請求項１】
筐体を貫通して取り付けられて、前記筐体の内部に装着された電気部品を接地接続するアース端子台を備える電子機器において、
前記アース端子台は、
前記筐体の外面に当接する外部絶縁子と、
前記筐体の内面に当接する内部絶縁子と、
前記外部絶縁子、前記筐体および前記内部絶縁子を貫通する導体軸と、を有するとともに、
前記筐体の内部で、前記導体軸と前記電気部品を電気的に接続する内部アース線と、
前記筐体の外部で、前記導体軸と前記筐体を電気的に接続するジャンパ線と、を備える、
ことを特徴とする電子機器。
【請求項２】
前記内部絶縁子は、前記筐体を貫通して、前記筐体の外部に突出する突起部を有し、
前記外部絶縁子は、前記筐体の外部において、前記突起部と嵌合する嵌合部を有する、
ことを特徴とする請求項１に記載の電子機器。
【請求項３】
前記導体軸の前記筐体の内部側の端部は雄ネジが切られ、
前記雄ネジと螺合する２個のナットを有し、
前記内部アース線の一端は、前記２個のナットに挟持されて、前記導体軸に固定されている、
ことを特徴とする請求項１に記載の電子機器。
【発明の詳細な説明】
【技術分野】
【０００１】
本発明は、アース端子台を備える電子機器に関する。
【背景技術】
【０００２】
一般に、電子機器は大地と電気的に接続（接地接続）される。接地接続されていないと、人間が電子機器に触れた時に、感電する恐れがあるためである。
【０００３】
また、電子機器が接地接続されていないと、共通の基準電位が確保できないので、電子機器の内部の電気信号が不安定になり、誤作動が発生する恐れがある。
【０００４】
電子機器を接地接続するために、電子機器は、例えば、特許文献１に開示されているような接地端子を筐体に備える。この接地端子は、電子機器の筐体を貫通する軸部を有し、該軸部は筐体の内部で装置内部アース線を介して、筐体内部の電気部品に電気的に接続され、また、筐体の外部でアース線を介して大地と電気的に接続される。また、該軸部は筐体とも電気的に接触しているので、筐体も大地と電気的に接続される。
【０００５】
また、電子機器に要求される絶縁性と耐電圧性を確認するために、電子機器の内部の電気部品等について絶縁抵抗試験や耐電圧試験が行われる。絶縁抵抗試験や耐電圧試験は、試験対象の電気部品等に電圧を印加して行う。
【先行技術文献】
【特許文献】
【０００６】
【特許文献１】特開２００６−１７２９０５号公報
【発明の概要】
【発明が解決しようとする課題】
【０００７】
特許文献１に開示されているような接地端子を備える電子機器は、電気部品等に対して絶縁抵抗試験や耐電圧試験を行うために電圧を印加すると、筐体にも電圧が印加されるので、試験に従事する作業者が感電する危険があった。そのため、試験を行う前に、接地端子と電気部品等の間の接続を解除して、つまり、装置内部アース線を撤去して、試験の終了後に復旧していた。
【０００８】
しかしながら、筐体の中に手を入れて、装置内部アース線の撤去・復旧を行うことは煩わしく、試験に係る作業の能率を低下させるという問題があった。
【０００９】
本発明は上記実情に鑑みてなされたもので、筐体内の電気部品について、感電の恐れなく能率的に絶縁抵抗試験および耐電圧試験を行うことができるアース端子台を備える電子機器を提供することを目的とする。
【課題を解決するための手段】
【００１０】
本発明に係る電子機器は、筐体を貫通して取り付けられて、前記筐体の内部に装着された電気部品を接地接続するアース端子台を備える電子機器において、前記アース端子台は、前記筐体の外面に当接する外部絶縁子と、前記筐体の内面に当接する内部絶縁子と、前記外部絶縁子、前記筐体および前記内部絶縁子を貫通する導体軸と、を有するとともに、前記筐体の内部で、前記導体軸と前記電気部品を電気的に接続する内部アース線と、前記筐体の外部で、前記導体軸と前記筐体を電気的に接続するジャンパ線と、を備えることを特徴とする。
【発明の効果】
【００１１】
本発明によれば、筐体の外部で、アース端子台の導体軸と筐体の間にジャンパ線を渡して両者を電気的に接続しているので、アース端子台の導体軸と筐体の間の電気的な接続の解除・復旧を容易に行うことができる。そのため、筐体の内部に装着された電気部品の絶縁抵抗試験や耐電圧試験が容易になる。
【図面の簡単な説明】
【００１２】
【図１】本発明の実施形態を示す閃光灯装置の回路図である。
【図２】アース端子台の断面図である。
【図３】閃光灯装置を接地接続した状態を示す図である。
【図４】絶縁耐電圧試験装置の回路図である。
【図５】絶縁抵抗試験及び耐電圧試験の手順を示す図である。
【図６】他の実施形態に係るアース端子台を示す図である。
【発明を実施するための形態】
【００１３】
以下、閃光灯装置を例にして、本発明の実施形態を説明する。図１に示す閃光灯装置１は飛行場に設置される航空灯火用の発光装置であり、トランス２、整流回路３、コンデンサ４などの電気部品が格納された筐体５と、放電管６、トランジスタ７、トリガー８などを有する発光部９から構成される。また、閃光灯装置１は、電源線１０ａ，１０ｂを介して電源装置１１から電力の供給を受け、光ケーブル１２を介して管制器１３からタイミング信号を受け取る。なお、閃光灯装置１は屋外に設置され、電源装置１１および管制器１３は飛行場内に設けられた電源局舎や監視室に設置される。
【００１４】
電源装置１１は、交流電流をトランス２の一次側に供給し、トランス２は交流電流を変圧して、二次側から整流回路３に出力する。整流回路３は交流を直流に変換して、その出力はコンデンサ４に蓄積される。そして、コンデンサ４に蓄積された電力で放電管６を発光させる。
【００１５】
また、管制器１３はタイミング信号をトリガー８に供給し、トリガー８はタイミング信号に従ってトリガー信号をトランジスタ７に供給し、トランジスタ７は放電管６の発光をＯＮ／ＯＦＦする。
【００１６】
また、筐体５はアース端子台１４を備え、トランス２、整流回路３などの電気部品がアース端子台１４に電気的に接続されている。アース端子台１４は外部アース線１５を介して大地に電気的に接続される。つまり、これらの電気部品はアース端子台１４を介して接地接続されている。また、筐体５はジャンパ線１６を介してアース端子台１４に接続されている。
【００１７】
図２に示すように、アース端子台１４は、導体軸１７を有する。導体軸１７は、筐体５を貫通して、筐体５の内部と外部を電気的に連絡する電路として機能する棒状の部品である。導体軸１７の素材は特に限定されないが、金属等の電気の良導体から適当なものを選べば良い。
【００１８】
導体軸１７の筐体５の外部に位置する部位には、外部絶縁子１８が装着されている。外部絶縁子１８は導体軸１７を筐体５に保持する筒状の部品であり、プラスチック等の絶縁材料で構成され、筐体５を導体軸１７に対して、電気的に絶縁する。
【００１９】
また、導体軸１７の筐体５の内部に位置する部位には、内部絶縁子１９が装着されている。内部絶縁子１９も導体軸１７を筐体５に保持する筒状の部品であり、プラスチック等の絶縁材料で構成され、筐体５を導体軸１７に対して、電気的に絶縁する。なお、内部絶縁子１９は、突起部２０を有し、突起部２０は筐体５を貫通して、筐体５の外部に突出している。そして、突起部２０は、筐体５の外部で外部絶縁子１８の嵌合部２１と嵌合している。つまり、外部絶縁子１８と内部絶縁子１９は筐体５を挟んで互いに連結されている。また、突起部２０は筐体５を貫通しているので、導体軸１７の筐体５を貫通する部位が筐体５に接触することを防いでいる。
【００２０】
導体軸１７の筐体５の内部に突出する部位、つまり、内部絶縁子１９の下方には、第１のナット２２と第２のナット２３が螺合されている。また、第１のナット２２と第２のナット２３は、端子２４を挟んで、端子２４を導体軸１７に固定している。
【００２１】
また、導体軸１７の筐体５の外部に突出する部位の先端、つまり、導体軸１７の頂端には絶縁材料からなる頭部２５が取り付けられている。
【００２２】
閃光灯装置１を使用する場合は、図３に示すように接地接続される。つまり、筐体５の外部では、アース端子台１４の導体軸１７に外部アース線１５及びジャンパ線１６の一端が接続される。また、外部アース線１５の他端は大地に、ジャンパ線１６の他端は筐体５に接続される。また、筐体５の内部では、アース端子台１４の導体軸１７に内部アース線２６の一端が接続され、内部アース線２６の他端はサーキットボード２７に接続される。なお、内部アース線２６は、端子２４を介して導体軸１７に接続固定される。
【００２３】
さて、閃光灯装置１の内部の電気部品、例えば、トランス２や整流回路３等の絶縁抵抗試験、耐電圧試験は、図４に示す絶縁耐電圧試験装置２８を使用して、実施される。
【００２４】
絶縁耐電圧試験装置２８は、電気部品に所定の電圧を印加して電気絶縁性を評価する装置であり、交流電源ユニット２９と、直流電源ユニット３０と、電圧印加用プローブＰ１およびＰ２と、リレースイッチＲＹ１〜ＲＹ４を備える。
【００２５】
交流電源ユニット２９は、耐電圧試験用の交流電圧を印加する電源装置であり、アノード（−）側にはリレースイッチＲＹ１が、カソード（＋）側にはリレースイッチＲＹ３がそれぞれ接続される。また、リレースイッチＲＹ１の他端は電圧印加用プローブＰ１に、リレースイッチＲＹ３の他端は電圧印加用プローブＰ２にそれぞれ接続される。
【００２６】
直流電源ユニット３０は、絶縁抵抗試験用の直流電圧を印加する電源装置であり、アノード（−）側にはリレースイッチＲＹ２が、カソード（＋）側にはリレースイッチＲＹ４がそれぞれ接続される。また、リレースイッチＲＹ２の他端は電圧印加用プローブＰ１に、リレースイッチＲＹ４の他端は電圧印加用プローブＰ２にそれぞれ接続される。
【００２７】
閃光灯装置１の絶縁抵抗試験及び耐電圧試験は、以下、図５に示す手順で実施される。
【００２８】
まず、図５（ａ）に示すように、筐体５の外部に突出する導体軸１７から外部アース線１５及びジャンパ線１６を取り外す。これにより、導体軸１７と筐体５の間の電気的な接続が解除される。
【００２９】
次に、図５（ｂ）に示すように、導体軸１７から取り外したジャンパ線１６を、絶縁耐電圧試験装置２８のアノード（−）側に接続し、また、絶縁耐電圧試験装置２８のカソード（＋）側をサーキットボード２７に接続する。
【００３０】
そして、リレースイッチＲＹ１とＲＹ３をオンすれば、サーキットボード２７上に配列された電気部品の耐電圧試験を行うことができる。また、リレースイッチＲＹ２とＲＹ４をオンすれば、サーキットボード２７上に配置された電気部品の絶縁抵抗試験を行うことができる。
【００３１】
以上説明したように、閃光灯装置１は、筐体５の外部で、ジャンパ線１６を介して、筐体５とアース端子台１４を電気的に接続しているので、筐体５とアース端子台１４の間の電気的な接続の解除が容易になる。また、電気的な接続の復旧も容易になる。そのため、筐体５の内部の電気部品の絶縁抵抗試験等を行う場合の準備作業や、試験終了後の復旧作業の手間が低減される。
【００３２】
なお、図３において、外部アース線１５とジャンパ線１６を導体軸１７に直接取り付ける例を示したが、外部アース線１５とジャンパ線１６の端部に端子を固定して、その端子を導体軸１７に取り付けてもよい。例えば、図６に示すように、外部アース線１５とジャンパ線１６の端部をボルト３１とナット３２で端子３３に固定して、端子３３を導体軸１７に取り付けるようにしてもよい。
【符号の説明】
【００３３】
１  閃光灯装置
２  トランス
３  整流回路
４  コンデンサ
５  筐体
６  放電管
７  トランジスタ
８  トリガー
９  発光部
１０ａ，１０ｂ  電源線
１１  電源装置
１２  光ケーブル
１３  管制器
１４  アース端子台
１５  外部アース線
１６  ジャンパ線
１７  導体軸
１８  外部絶縁子
１９  内部絶縁子
２０  突起部
２１  嵌合部
２２  第１のナット
２３  第２のナット
２４  端子
２５  頭部
２６  内部アース線
２７  サーキットボード
２８  絶縁耐電圧試験装置
２９  交流電源ユニット
３０  直流電源ユニット
３１  ボルト
３２  ナット
３３  端子
Ｐ１，Ｐ２  電圧印加用プローブ
ＲＹ１〜ＲＹ４  リレースイッチ
【図１】
2011003312.tif 000003
【図２】
2011003312.tif 000004
【図３】
2011003312.tif 000005
【図４】
2011003312.tif 000006
【図５】
2011003312.tif 000007
【図６】
2011003312.tif 000008